(57)【要約】【課題】プロジェクターを複数のユーザーが使用する際、不正な使用を防止し、利便性を向上させるプロジェクター、およびプロジェクターの制御方法を提供する。【解決手段】プロジェクター１は、時刻を計時する計時部３５と、所定の時刻においてプロジェクター１に備わる所定の機能が有効であるか否かを示す設定情報２１Ａを保存する記憶手段２１と、設定情報２１Ａ、および計時部３５が計時した時刻に基づき、所定の機能が有効であると判断された場合に所定の機能を実行する制御手段２０と、を備える。【選択図】図１
2014153390.tif 000002
【特許請求の範囲】
【請求項１】
光源から射出された光を画像情報に応じて変調し投写するプロジェクターであって、
時刻を計時する計時部と、
所定の時刻において当該プロジェクターに備わる所定の機能が有効であるか否かを示す設定情報を保存する記憶手段と、
前記設定情報、および前記計時部が計時した時刻に基づき、前記所定の機能が有効であると判断された場合に当該機能を実行する制御手段と、
を備えたことを特徴とする、プロジェクター。
【請求項２】
請求項１に記載のプロジェクターにおいて、
前記設定情報は、前記所定の時刻において当該プロジェクターの使用を許可するための認証を行うか否かを示す認証設定情報を含み、
前記制御手段は、前記認証設定情報、および前記計時部が計時した時刻に基づき、現在の時刻が前記認証を行う時刻であると判断した場合に前記認証を行う、
ことを特徴とする、プロジェクター。
【請求項３】
請求項１または２に記載のプロジェクターにおいて、
記録媒体に記録された画像情報を再生する再生手段をさらに備え、
前記設定情報は、前記所定の時刻において前記再生手段による前記記録媒体の画像情報の再生を許可するか否かを示す再生設定情報を含み、
前記制御手段は、前記記録媒体の再生をする操作を受け付けたとき、または前記記録媒体を再生している状態において、前記再生設定情報、および前記計時部が計時した時刻に基づき、現在の時刻が前記画像情報の再生を禁止する時間であると判断した場合に前記画像情報の再生を禁止する、
ことを特徴とする、プロジェクター。
【請求項４】
請求項１から３のいずれか一項に記載のプロジェクターにおいて、
前記プロジェクターに異常が発生したことを検知する異常検知手段をさらに備え、
前記設定情報は、前記所定の時刻において前記異常検知手段により前記異常が発生した場合に報知するか否かを示す異常報知設定情報を含み、
前記制御手段は、前記異常検知手段が当該プロジェクターに異常が発生したことを検知した場合において、前記異常報知設定情報、および前記計時部が計時した時刻に基づき、現在の時刻が前記異常を報知する時間であると判断した場合に前記異常の報知を行う、
ことを特徴とする、プロジェクター。
【請求項５】
請求項１から４のいずれか一項に記載のプロジェクターにおいて、
前記制御手段は、前記設定情報、および前記計時部が計時した時刻に基づき、前記所定の機能が有効でない時刻において前記所定の機能を実行しようとした場合、前記所定の機能が有効である時刻にその旨を報知する、
ことを特徴とする、プロジェクター。
【請求項６】
光源から射出された光を画像情報に応じて変調し投写する投写手段と、時刻を計時する計時部と、所定の時刻においてプロジェクターに備わる所定の機能が有効であるか否かを示す設定情報を保存する記憶手段と、を備えたプロジェクターの制御方法であって、
前記設定情報、および前記計時部が計時した時刻に基づき、前記所定の機能が有効であるか否かを判断する判断ステップと、
前記判断ステップにおいて、前記所定の機能が有効であると判断された場合に当該機能を実行する制御ステップと、
を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
従来、画像を投写するプロジェクターには、不正な使用を防止するために暗証番号（パスワード）等により認証することで、暗証番号を知っている使用者（ユーザー）のみが使用することができる認証機能が搭載されている。また、近年、ＤＶＤ（Digital Versatile Disk）等の記録媒体に保存された画像の再生機能を搭載したプロジェクターが知られている。なお、前述の認証機能を用いれば暗証番号を知らないユーザーにより不正に持ち込まれた記録媒体の再生を防止することができる。
【０００３】
特許文献１には、パスワードによって操作権限レベルが設定されており、操作権限レベルに応じて操作可能な機能が設定されたプロジェクターが開示されている。このようなプロジェクターによればユーザーの権限レベルによって操作できる機能を設定可能であり、権限レベルの低いユーザーは使用できる機能を制限し、最上位の権限レベルを有するユーザーは全ての機能を操作することができる。これにより、例えば、権限レベルの低いユーザーによる、権限レベル外の機能の不正な使用を防止することができる。
【先行技術文献】
【特許文献】
【０００４】
【特許文献１】特開２００６−２３５０００号公報
【発明の概要】
【発明が解決しようとする課題】
【０００５】
しかしながら、特許文献１のプロジェクターでは、例えば、学校や会社などで多くの人が使用する時間帯において、使用するたびにユーザーがパスワードを入力することは手間が掛かるという課題があった。また、多くの人が使用する際に、上位の権限レベルのパスワードが漏れる可能性があり、不正な使用が行われ易いという課題があった。
従って、プロジェクターを複数のユーザーが使用する際、不正な使用を防止し、利便性を向上させるプロジェクター、およびプロジェクターの制御方法が要望されていた。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光を画像情報に応じて変調し投写するプロジェクターであって、時刻を計時する計時部と、所定の時刻において当該プロジェクターに備わる所定の機能が有効であるか否かを示す設定情報を保存する記憶手段と、前記設定情報、および前記計時部が計時した時刻に基づき、前記所定の機能が有効であると判断された場合に当該機能を実行する制御手段と、を備えたことを特徴とする。
【０００８】
本適用例によれば、プロジェクターの各機能を有効または無効にする時刻（時間）を設定することができるので、例えば、管理者がいない時間帯に特定の機能を無効にしてプロジェクターの動作を制限することが可能となる。従って、複数のユーザーがプロジェクターを使用する際、不正な使用を防止できるプロジェクターを実現することができる。
【０００９】
［適用例２］上記適用例に記載のプロジェクターにおいて、前記設定情報は、前記所定の時刻において当該プロジェクターの使用を許可するための認証を行うか否かを示す認証設定情報を含み、前記制御手段は、前記認証設定情報、および前記計時部が計時した時刻に基づき、現在の時刻が前記認証を行う時刻であると判断した場合に前記認証を行う、ことが好ましい。
【００１０】
本適用例によれば、プロジェクターを使用可能にするための認証を必要とする時間帯を設定できるので、例えば、日中など多くの人が利用する時間帯は認証を不要にすることで利便性を向上するとともに暗証番号が漏れることを防止し、管理者が不在になる夜間、休日には認証を必要とするよう設定することで、プロジェクターの不正使用を防止することが可能となる。
【００１１】
［適用例３］上記適用例に記載のプロジェクターにおいて、記録媒体に記録された画像情報を再生する再生手段をさらに備え、前記設定情報は、前記所定の時刻において前記再生手段による前記記録媒体の画像情報の再生を許可するか否かを示す再生設定情報を含み、前記制御手段は、前記記録媒体の再生をする操作を受け付けたとき、または前記記録媒体を再生している状態において、前記再生設定情報、および前記計時部が計時した時刻に基づき、現在の時刻が前記画像情報の再生を禁止する時間であると判断した場合に前記画像情報の再生を禁止する、ことが好ましい。
【００１２】
本適用例によれば、記録媒体に保存された画像情報の再生を禁止する時間帯を設定することができるので、例えば、管理者が不在の時間帯に不正に持ち込まれた記録媒体の画像情報が再生されることを防止することが可能となる。
【００１３】
［適用例４］上記適用例に記載のプロジェクターにおいて、前記プロジェクターに異常が発生したことを検知する異常検知手段をさらに備え、前記設定情報は、前記所定の時刻において前記異常検知手段により前記異常が発生した場合に報知するか否かを示す異常報知設定情報を含み、前記制御手段は、前記異常検知手段が当該プロジェクターに異常が発生したことを検知した場合において、前記異常報知設定情報、および前記計時部が計時した時刻に基づき、現在の時刻が前記異常を報知する時間であると判断した場合に前記異常の報知を行うことが好ましい。  
【００１４】
本適用例によれば、プロジェクターに異常が発生した場合の報知を禁止する時間帯を設定できる。これにより、例えば、管理者が不在な時間帯には異常報知を行わないようにすることで、プロジェクターの操作をよく理解していないユーザーが異常報知に驚いて予期せぬ操作を行ってしまうことを防止することが可能となる。
【００１５】
［適用例５］上記適用例に記載のプロジェクターにおいて、前記制御手段は、前記設定情報、および前記計時部が計時した時刻に基づき、前記所定の機能が有効でない時刻において前記所定の機能を実行しようとした場合、前記所定の機能が有効である時刻にその旨を報知する、ことが好ましい。
【００１６】
本適用例によれば、プロジェクターの所定の機能が無効な時間に、その機能を実行しようとしたことを、機能が有効な時間に報知するので、例えば、管理者が不在の時間に禁止されている機能を実行させようとしたユーザーがいることを後で知ることができ、管理者に対処を促すことが可能となる。
【００１７】
［適用例６］本適用例に係るプロジェクターの制御方法は、光源から射出された光を画像情報に応じて変調し投写する投写手段と、時刻を計時する計時部と、所定の時刻においてプロジェクターに備わる所定の機能が有効であるか否かを示す設定情報を保存する記憶手段と、を備えたプロジェクターの制御方法であって、前記設定情報、および前記計時部が計時した時刻に基づき、前記所定の機能が有効であるか否かを判断する判断ステップと、前記判断ステップにおいて、前記所定の機能が有効であると判断された場合に当該機能を実行する制御ステップと、を有することを特徴とする。
【００１８】
本適用例によれば、判断ステップと制御ステップとを有し、設定情報と時刻に基づき、プロジェクターの各機能を有効または無効にすることができるので、例えば、管理者がいない時間帯に、特定の機能を無効にしてプロジェクターの動作を制限することが可能となる。従って、複数のユーザーがプロジェクターを使用する際、不正な使用を防止できるプロジェクターの制御方法を実現することができる。
【図面の簡単な説明】
【００１９】
【図１】実施形態に係るプロジェクターの回路構成を示すブロック図。
【図２】電源オン時の動作を示すフローチャート。
【図３】設定情報監視処理の動作を示すフローチャート。
【図４】認証確認処理の動作を示すフローチャート。
【図５】ＤＶＤメディアの再生動作を示すフローチャート。
【図６】異常発生検知時の動作を示すフローチャート。
【図７】ＤＶＤ再生確認処理の動作を示すフローチャート。
【図８】異常報知確認処理の動作を示すフローチャート。
【図９】プロジェクターの報知メッセージの例を示す図。
【図１０】設定情報の設定メニュー画面の例を示す図。
【発明を実施するための形態】
【００２０】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２１】
（実施形態）
本実施形態のプロジェクター１は、例えば、会社の会議室に設置され、複数の社員（ユーザー）がこのプロジェクター１を使用することができ、また、プロジェクター１を管理する管理者が設定されている状態を例として説明する。
【００２２】
図１は、本実施形態に係るプロジェクター１の回路構成を示すブロック図である。図１に示すように、プロジェクター１は、画像投写手段１０、ＯＳＤ処理手段１６、画像信号処理手段１７、画像信号入力手段１８、制御手段２０、記憶手段２１、光源制御手段２２、入力操作手段２３、異常検知手段２７、電源端子３０、電源部３１、計時部３５、再生手段４０、画像入力端子６等で構成されており、これらは図示しない筐体の内部に収容されている。
【００２３】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する。
【００２４】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２５】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２６】
本実施形態では、光源として光源ランプ１１ａを用いて投写するプロジェクター１を例示したが、本発明は、光源としてＬＥＤ（Light emitting diode）光源やレーザー光源などを用いて投写するプロジェクターにも適用することができる。
【００２７】
なお、本実施形態では、画像投写手段１０は、３つの液晶ライトバルブ１２Ｒ，１２Ｇ，１２Ｂを用いた透過型液晶方式の光変調装置を例示したが、反射型液晶表示方式やマイクロミラーデバイス方式（ライトスイッチ表示方式）など、他の表示方式の光変調装置を採用しても良い。
【００２８】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００２９】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
【００３０】
記憶手段２１は、本実施形態では、設定情報２１Ａ、認証失敗フラグ２１４、不正再生フラグ２１５、異常発生情報２１６が保存される。設定情報２１Ａは認証設定情報２１１、再生設定情報２１２、異常報知設定情報２１３を含み、それぞれプロジェクター１を使用可能にする認証を行う時間帯、ＤＶＤメディアＭの再生を禁止する時間帯、異常発生報知を禁止する時間帯を設定する。制御手段２０は、設定情報２１Ａの設定内容、および計時部３５が計時した時刻に基づき、プロジェクター１の各機能の動作を制御する。なお、ここでいう時刻には曜日情報も含むものとする。
【００３１】
ここで、図１０を参照して設定情報２１Ａ（記憶手段２１）の設定メニュー画面の例を説明する。
図１０は、設定情報２１Ａの設定メニュー画面の例を示す図である。
図１０（ａ）は、認証設定情報２１１の設定画面Ｍ４１を示す図であり、図１０（ｂ）は、認証時間帯設定画面Ｍ４２を示す図である。ここで、認証時間帯を設定する場合には、設定画面Ｍ４１を表示させ、認証時間帯設定画面Ｍ４２において設定する。図１０（ｂ）に示すように、認証時間帯設定画面Ｍ４２の例では、土曜日、日曜日は終日、月曜日から金曜日は０時から７時、および１８時から０時までの時間帯が認証を必要とする設定になっていることを示す。
【００３２】
図１０（ｃ）は、再生設定情報２１２の設定画面Ｍ５１を示す図であり、図１０（ｄ）は、再生禁止時間帯設定画面Ｍ５２を示す図である。ここで、再生禁止時間帯を設定する場合には、設定画面Ｍ５１を表示させ、再生禁止時間帯設定画面Ｍ５２において設定する。図１０（ｄ）に示すように、再生禁止時間帯設定画面Ｍ５２の例では、土曜日、日曜日は終日、月曜日から金曜日は０時から７時、および１８時から０時までの時間帯がＤＶＤメディアＭの再生を禁止する設定になっていることを示す。
【００３３】
図１０（ｅ）は、異常報知設定情報２１３の設定画面Ｍ６１を示す図であり、図１０（ｆ）は、異常報知禁止時間帯設定画面Ｍ６２を示す図である。ここで、異常報知禁止時間帯を設定する場合には、設定画面Ｍ６１を表示させ、異常報知禁止時間帯設定画面Ｍ６２において設定する。図１０（ｆ）に示すように、異常報知禁止時間帯設定画面Ｍ６２の例では、土曜日、日曜日は終日、月曜日から金曜日は０時から７時、および１８時から０時までの時間帯が異常報知を禁止する設定になっていることを示す。なお、この時間帯に発生した異常は異常報知が許可されている時間に報知される。
【００３４】
図１に戻り、認証失敗フラグ２１４は認証に失敗したときにセットされる。ここでいう認証としては、入力操作手段２３の数字キーにより入力された暗証番号が記憶手段２１に保存された暗証番号（図示せず）と一致するか否かを照合する暗証番号認証や、入力操作手段２３より入力されたキー操作が、記憶手段２１に保存された特定キー操作（例えば、複数のキーの同時押し、所定の順番でのキー操作など）と一致するか否かを照合する特定キー操作認証などがある。これらの照合結果が一致した場合、プロジェクター１が使用可能となる。
不正再生フラグ２１５は、ＤＶＤメディアＭの再生が禁止されている時間帯にＤＶＤメディアＭを再生しようとした場合にセットされる。異常発生情報２１６には異常検知手段２７が検知した異常の情報が保存される。
【００３５】
入力操作手段２３は、ユーザーがプロジェクター１に対して各種指示を行うための複数の操作キーを備えている。入力操作手段２３が備える操作キーとしては、電源のオン・オフを交互に切り替えるための電源キーや、画像信号入力手段１８に入力される画像情報を選択するために複数の画像入力端子６を切り替える入力切替キー、各種設定を行うための設定メニューを重畳表示させるメニューキー、設定メニューからユーザーが設定項目を選択するカーソルキー、決定キー、エスケープキー、暗証番号等を入力するための数字キー等がある。
【００３６】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００３７】
画像信号入力手段１８は、複数の画像入力端子６より、ビデオ再生装置やパーソナルコンピューター等、外部の画像出力装置から、図示しないケーブルを介して画像情報が入力される。入力された画像情報は、制御手段２０の指示に基づき、画像信号処理手段１７に出力される。なお、画像信号入力手段１８は、無線通信や光通信などの受信部を備え、外部機器から無線によって画像信号を入力する構成にしてもよい。
【００３８】
画像信号処理手段１７は、制御手段２０の指示に基づき、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ）、緑（Ｇ）、青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３９】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００４０】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。
ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００４１】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００４２】
電源部３１には、電源端子３０を介してＡＣ１００Ｖ等の電力が外部から供給される。電源部３１は、入力した電力（交流電力）を所定の直流電力に変換して、プロジェクター１の各部に変換した電力を供給する。
また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４３】
計時部３５は、リアルタイムクロックであり、バックアップ電源（図示せず）により駆動し、時刻情報（曜日情報を含む）を計時する。制御手段２０は計時部３５より現在時刻を取得する。
【００４４】
光源制御手段２２は、制御手段２０の指示に基づいて、光源１１に対する電力の供給と停止とを制御し、光源１１の点灯及び消灯を切り替える。
【００４５】
異常検知手段２７は、プロジェクター１に異常が発生したことを検知し、制御手段２０に通知する。検知した異常は異常発生情報２１６に保存される。検知する異常の例として、プロジェクター１の内部温度が所定値以上に上昇した場合の温度異常、光源１１が画像投写中に消灯した場合の光源異常などが挙げられる。
【００４６】
再生手段４０はＤＶＤメディアＭに記録された画像情報の再生を行い、再生された画像情報は画像信号入力手段１８に入力される。再生手段４０は、ＤＶＤ検出手段４１、データ読取手段４２、データ処理手段４３等を含んで構成されている。
【００４７】
ＤＶＤ検出手段４１は、図示しないターンテーブルの近傍に配置され、ターンテーブルにＤＶＤメディアＭが装着されていることを検出して制御手段２０に通知する。
【００４８】
データ読取手段４２は、制御手段２０の指示に基づいて、ターンテーブル上に装着されたＤＶＤメディアＭをスピンドルモーター（図示せず）で回転させるとともに、光ピックアップ（図示せず）を走査して、ＤＶＤメディアＭに記録されているデータストリームを順次読み取る。このデータストリームは、符号化された画像情報や音声情報が多重化された情報であり、データ読取手段４２によって読み取られたデータストリームは、データ処理手段４３に順次出力される。
【００４９】
データ処理手段４３は、デマルチプレクサーやデコーダー等で構成され、制御手段２０の指示に基づいて、データ読取手段４２から入力されるデータストリームを画像情報と音声情報とに分離する処理や、分離した画像情報及び音声情報をデコード（復号化）する処理等を行う。データ処理手段４３は、復号化された画像情報を、画像信号入力手段１８を介して画像信号処理手段１７に出力し、復号化された音声情報を図示しない音声出力手段に出力する。なお、再生手段４０が、ＤＶＤメディアＭからデータストリームを読み取って、このデータストリームに基づく画像情報を出力することを、本明細書ではＤＶＤを再生すると表記する。
【００５０】
制御手段２０はＤＶＤ検出手段４１により、ＤＶＤメディアＭがターンテーブル上に装着されていることを検出した場合にＤＶＤメディアＭの再生を開始する。
【００５１】
なお、本実施形態では記録媒体としてＤＶＤメディアＭについて説明したが、これに限るものでなく、例えばＢｌｕ−ｒａｙ（登録商標）ディスク、ＵＳＢメモリーなどのように、画像情報を記憶する記録媒体であればよい。
【００５２】
次に、本実施形態のプロジェクター１の動作を、図２から図８に示すフローチャートを参照して説明する。また、フローチャートの説明において、図９に示す報知メッセージも併せて説明する。
【００５３】
図２は、電源オン時の動作を示すフローチャートである。図３は、設定情報監視処理の動作を示すフローチャートである。図４は、認証確認処理（サブルーチン）の動作を示すフローチャートである。図５は、ＤＶＤメディアＭの再生動作を示すフローチャートである。図６は、異常発生検知時の動作を示すフローチャートである。図７は、ＤＶＤ再生確認処理（サブルーチン）の動作を示すフローチャートである。図８は、異常報知確認処理（サブルーチン）の動作を示すフローチャートである。
【００５４】
図９は、プロジェクター１の報知メッセージの例を示す図であり、図９（ａ）は認証画面Ｍ１１を示す図であり、図９（ｂ）は認証失敗画面Ｍ１２を示す図であり、図９（ｃ）は電源オフ通知画面Ｍ２１を示す図であり、図９（ｄ）は異常報知画面Ｍ２２を示す図であり、図９（ｅ）はＤＶＤ再生禁止画面Ｍ３１を示す図であり、図９（ｆ）は不正再生画面Ｍ３２を示す図である。
【００５５】
［電源オン時の動作］
図２に示すように、プロジェクター１がスタンバイ中に入力操作手段２３の電源キーなどにより電源オンすると（ステップＳ１０１）、制御手段２０は光源制御手段２２により光源１１を点灯させ（ステップＳ１０２）、ステップＳ１０３に遷移する。
【００５６】
ステップＳ１０３において制御手段２０は、認証確認処理（サブルーチン）を実行し、ステップＳ１０４に遷移する。
【００５７】
ステップＳ１０４において制御手段２０は、ＤＶＤ再生確認処理（サブルーチン）を実行し、ステップＳ１０５に遷移する。
【００５８】
ステップＳ１０５において制御手段２０は、異常報知確認処理（サブルーチン）を実行し、ステップＳ１０６に遷移する。
【００５９】
ステップＳ１０６において制御手段２０は、画像信号入力手段１８から入力される画像情報を画像投写手段１０により投写させ、ステップＳ１０７に遷移する。
【００６０】
ステップＳ１０７において、本動作フローを終了する。
【００６１】
［設定情報監視処理の動作］
図３に示すように、プロジェクター１が定期的に設定情報２１Ａの監視処理（設定情報監視処理）を開始すると（ステップＳ２０１）、制御手段２０は、認証確認処理（サブルーチン）を実行し（ステップＳ２０２）、ステップＳ２０３に遷移する。
【００６２】
ステップＳ２０３において制御手段２０は、ＤＶＤ再生確認処理（サブルーチン）を実行し、ステップＳ２０４に遷移する。
【００６３】
ステップＳ２０４において制御手段２０は、異常報知確認処理（サブルーチン）を実行し、ステップＳ２０５に遷移する。
【００６４】
ステップＳ２０５において、本動作フローを終了する。
【００６５】
［認証設定情報の確認処理（サブルーチン）の動作］
図４に示すように、認証設定情報２１１の確認処理を実行開始すると（ステップＳ３０１）、ステップＳ３０２に遷移する。
【００６６】
ステップＳ３０２において制御手段２０は、認証設定情報２１１と、計時部３５から取得した時刻に基づき、現在の時刻が認証を行う時間か否かを調べる。認証を行う時間である場合（ステップＳ３０２：Ｙ）には、ステップＳ３０３に遷移する。認証を行う時間でない場合（ステップＳ３０２：Ｎ）には、ステップＳ３０５に遷移する。ここで、ステップＳ３０２が判断ステップに相当する。
【００６７】
ステップＳ３０３において制御手段２０は、プロジェクター１を使用可能にするための認証を実行しステップＳ３０４に遷移する。認証を実行するとき、図９（ａ）に示すような認証画面Ｍ１１を表示する。ここで、ステップＳ３０３が制御ステップに相当する。
【００６８】
ステップＳ３０４において制御手段２０は、ステップＳ３０３において実行した認証が成功したか否かを調べる。認証が成功した場合（ステップＳ３０４：Ｙ）には、ステップＳ３０７に遷移する。認証が失敗した場合（ステップＳ３０４：Ｎ）には、ステップＳ３１０に遷移する。
【００６９】
ステップＳ３０５において制御手段２０は、認証失敗フラグ２１４がセットされているか否かを調べる。認証失敗フラグ２１４がセットされている場合（ステップＳ３０５：Ｙ）には、ステップＳ３０６に遷移する。認証失敗フラグ２１４がクリアされている場合（ステップＳ３０５：Ｎ）には、ステップＳ３０８に遷移する。
【００７０】
ステップＳ３０６において制御手段２０は、前回、認証を行う時間において認証に失敗したことを示す認証失敗画面Ｍ１２（図９（ｂ）参照）を表示し、Ｓ３０７に遷移する。
【００７１】
ステップＳ３０７において制御手段２０は、認証失敗フラグ２１４をクリアし、ステップＳ３０８に遷移する。
【００７２】
ステップＳ３０８において、本動作フロー（サブルーチン）を終了し、元の処理（サブルーチンの呼び出し元）に戻る。
【００７３】
ステップＳ３１０において制御手段２０は、認証失敗フラグ２１４をセットし、ステップＳ３１１に遷移する。
【００７４】
ステップＳ３１１において制御手段２０は、光源制御手段２２によって光源１１を消灯させ、ステップＳ３１２に遷移する。
【００７５】
ステップＳ３１２において、プロジェクター１の電源をオフしてスタンバイ状態に移行し、本動作フローを終了する。なお、この場合は元の処理（サブルーチンの呼び出し元）には戻らない。
【００７６】
［ＤＶＤメディアの再生動作］
図５に示すように、プロジェクター１が動作中に入力操作手段２３の所定キー操作によりＤＶＤメディアＭの再生操作を検出するか、またはＤＶＤ検出手段４１がＤＶＤメディアＭの装着を検出した場合（ステップＳ４０１）、ステップＳ４０２に遷移する。
【００７７】
ステップＳ４０２において制御手段２０は、再生設定情報２１２の設定内容、および計時部３５より取得した時刻に基づき、現在の時刻がＤＶＤメディアＭの再生を禁止する時間か否かを調べる。ＤＶＤメディアＭの再生を禁止する時間である場合（ステップＳ４０２：Ｙ）、には、ステップＳ４０４に遷移する。ＤＶＤメディアＭの再生を許可する時間である場合（ステップＳ４０２：Ｎ）には、ステップＳ４０３に遷移する。ここで、ステップＳ４０２が判断ステップに相当する。
【００７８】
ステップＳ４０３において制御手段２０は、再生手段４０によりＤＶＤメディアＭの再生を開始し、ステップＳ４０６に遷移する。ここで、ステップＳ４０３が制御ステップに相当する。
【００７９】
ステップＳ４０４において制御手段２０は、不正再生フラグ２１５をセットし、ステップＳ４０５に遷移する。
【００８０】
ステップＳ４０５において制御手段２０は、ＤＶＤの再生が禁止されていることを示すＤＶＤ再生禁止画面Ｍ３１（図９（ｅ）参照）を表示し、ステップＳ４０６に遷移する。
【００８１】
ステップＳ４０６において本操作フローを終了する。
【００８２】
［異常発生検知時の動作］
図６に示すように、プロジェクター１が動作中に、異常検知手段２７により異常が発生したことを検知すると（ステップＳ５０１）、制御手段２０は、異常検知手段２７が検知した異常を異常発生情報２１６に保存し（ステップＳ５０２）、ステップＳ５０３に遷移する。
【００８３】
ステップＳ５０３において制御手段２０は、異常報知確認処理（サブルーチン）を実行し、ステップＳ５０４に遷移する。
【００８４】
ステップＳ５０４において制御手段２０は、プロジェクター１の電源をオフすることを通知する電源オフ通知画面Ｍ２１（図９（ｃ）参照）を表示し、ステップＳ５０５に遷移する。
【００８５】
ステップＳ５０５において制御手段２０は、光源制御手段２２によって光源１１を消灯させ、ステップＳ５０６に遷移する。
【００８６】
ステップＳ５０６において、プロジェクター１の電源をオフしてスタンバイ状態に移行し、本動作フローを終了する。
【００８７】
［ＤＶＤ再生確認処理（サブルーチン）の動作］
図７に示すように、ＤＶＤ再生確認処理を実行開始すると（ステップＳ６０１）、ステップＳ６０２に遷移する。
【００８８】
ステップＳ６０２において制御手段２０は、再生設定情報２１２と、計時部３５から取得した時刻に基づき、現在の時刻がＤＶＤメディアＭの再生を禁止する時間か否かを調べる。ＤＶＤメディアＭの再生を禁止する時間である場合（ステップＳ６０２：Ｙ）には、ステップＳ６０６に遷移する。ＤＶＤメディアＭの再生を許可する時間の場合（ステップＳ６０２：Ｎ）には、ステップＳ６０３に遷移する。
【００８９】
ステップＳ６０３において制御手段２０は、不正再生フラグ２１５がセットされているか否かを調べる。不正再生フラグ２１５がセットされている場合（ステップＳ６０３：Ｙ）には、ステップＳ６０４に遷移する。不正再生フラグ２１５がクリアされている場合（ステップＳ６０３：Ｎ）には、ステップＳ６０８に遷移する。
【００９０】
ステップＳ６０４において制御手段２０は、前回、ＤＶＤメディアＭの再生が禁止されている時間にＤＶＤメディアＭを再生しようとしたことを示す不正再生画面Ｍ３２（図９（ｆ）参照）を表示し、ステップＳ６０５に遷移する。
【００９１】
ステップＳ６０５において制御手段２０は、不正再生フラグ２１５をクリアし、ステップＳ６０８に遷移する。
【００９２】
ステップＳ６０６において制御手段２０は、現在ＤＶＤメディアＭを再生中か否かを調べる。ＤＶＤメディアＭを再生中の場合（ステップＳ６０６：Ｙ）には、ＤＶＤメディアＭの再生を中止し（ステップＳ６０７）、ステップＳ６０８に遷移する。ＤＶＤメディアＭを再生中でない場合（ステップＳ６０６：Ｎ）には、ステップＳ６０８に遷移する。
【００９３】
ステップＳ６０８において、本動作フローを終了し、元の処理（サブルーチンの呼び出し元）に戻る。
【００９４】
［異常報知確認処理（サブルーチン）の動作］
図８に示すように、異常報知確認処理を実行開始すると（ステップＳ７０１）、ステップＳ７０２に遷移する。
【００９５】
ステップＳ７０２において制御手段２０は、異常報知設定情報２１３と、計時部３５から取得した時刻に基づき、現在の時刻が異常報知を禁止する時間か否かを調べる。異常報知を禁止する時間である場合（ステップＳ７０２：Ｙ）には、ステップＳ７０６に遷移する。異常報知を許可する時間の場合（ステップＳ７０２：Ｎ）には、ステップＳ７０３に遷移する。ここで、ステップＳ７０２が判断ステップに相当する。
【００９６】
ステップＳ７０３において制御手段２０は、異常発生情報２１６に異常が保存されているか否かを調べる。異常発生情報２１６に異常が保存されている場合（ステップＳ７０３：Ｙ）には、ステップＳ７０４に遷移する。異常発生情報２１６に異常が保存されていない場合（ステップＳ７０３：Ｎ）には、ステップＳ７０６に遷移する。
【００９７】
ステップＳ７０４において制御手段２０は、前回、異常報知が禁止されている時間に異常が発生したことを示す異常報知画面Ｍ２２（図９（ｄ）参照）を表示し、ステップＳ７０５に遷移する。ここで、ステップＳ７０４が制御ステップに相当する。
【００９８】
ステップＳ７０５において制御手段２０は、異常発生情報２１６の内容をクリアし、ステップＳ７０６に遷移する。
【００９９】
ステップＳ７０６において、本動作フローを終了し、元の処理（サブルーチンの呼び出し元）に戻る。
【０１００】
上述した実施形態によれば、以下の効果が得られる。
本実施形態のプロジェクター１によれば、プロジェクター１の各機能を有効または無効にする時間を設定情報２１Ａに設定することができるので、管理者がいない時間帯に特定の機能を無効にしてプロジェクター１の動作を制限することが可能となる。
【０１０１】
また、プロジェクター１を使用可能にするための認証を必要とする時間帯を設定できるので、例えば、日中など多くの人が利用する時間帯（本実施形態では、図１０（ｂ）に示すように、月曜日から金曜日の７時から１８時）は認証を不要にすることで、プロジェクター１の利便性を向上することができる。また、これにより、暗証番号など認証方法が漏れることを防止でき、管理者が不在になる夜間や休日の時間帯には、認証を必要とするよう設定することで、プロジェクター１の不正使用を防止することが可能となる。
【０１０２】
また、ＤＶＤメディアＭに保存された画像情報の再生を禁止する時間帯を設定することができるので、管理者が不在の時間帯に、不正に持ち込まれたＤＶＤメディアＭの画像情報が再生されることを防止することが可能となる。
【０１０３】
また、プロジェクター１に異常が発生した場合に、報知を禁止する時間帯を設定できる。これにより、管理者が不在な時間帯には異常報知を行わないようにすることで、プロジェクター１の操作をよく理解していないユーザーが異常報知に驚いて予期せぬ操作を行ってしまうのを防止することが可能となる。
【０１０４】
また、プロジェクター１の所定の機能が無効な時間にその機能を実行しようとしたことを機能が有効な時間に報知するので、管理者が不在の時間に禁止されている機能を実行させようとしたユーザーがいることを後で知ることができ、管理者に対処を促すことが可能となる可能となる。
【０１０５】
また、判断ステップ（ステップＳ３０２，Ｓ４０２，Ｓ７０２）と制御ステップ（ステップＳ３０３，Ｓ４０３，Ｓ７０４）とを有し、設定情報２１Ａと時刻に基づき、プロジェクター１の各機能を有効または無効にすることができる。これにより、管理者がいない時間帯に、特定の機能を無効にしてプロジェクター１の動作を制限することが可能となる。従って、複数のユーザーがプロジェクター１を使用する際、不正な使用を防止できるプロジェクター１の制御方法を実現することができる。
【０１０６】
上述した効果により、プロジェクター１を複数のユーザーが使用する際、不正な使用を防止し、利便性を向上させるプロジェクター１、およびプロジェクター１の制御方法を実現することができる。
【０１０７】
また、上記実施形態は、以下のように変更してもよい。
（変形例１）
上述した実施形態においては、プロジェクター１が動作中に設定情報２１Ａと計時部３５の時刻に基づき、現在許可されている機能が無効になるまでの時間を画面に表示して報知するようにしてもよい。これにより、ユーザーは、現在使用中または使用予定の機能があとどのくらいで使用禁止になるのかを知ることができるので、ユーザーに必要な対処を促すことが可能となる。
【符号の説明】
【０１０８】
１…プロジェクター、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２１…記憶手段、２１Ａ…設定情報、２１１…認証設定情報、２１２…再生設定情報、２１３…異常報知設定情報、２１４…認証失敗フラグ、２１５…不正再生フラグ、２１６…異常発生情報、２２…光源制御手段、２３…入力操作手段、２７…異常検知手段、３０…電源端子、３１…電源部、４０…再生手段、４１…ＤＶＤ検出手段、４２…データ読取手段、４３…データ処理手段。
【図１】
2014153390.tif 000003
【図２】
2014153390.tif 000004
【図３】
2014153390.tif 000005
【図４】
2014153390.tif 000006
【図５】
2014153390.tif 000007
【図６】
2014153390.tif 000008
【図７】
2014153390.tif 000009
【図８】
2014153390.tif 000010
【図９】
2014153390.tif 000011
【図１０】
2014153390.tif 000012